(57)【要約】【課題】ロープ高所作業の安全性及び作業性の向上に資するロープ高所作業用装置及びロープ高所作業方法を提供すること。【解決手段】メインロープ２及びライフライン３と、前記メインロープ２及び前記ライフライン３に取り付けられる安全帯４とを具備したロープ高所作業用装置１であって、前記ライフライン３は、リトラクタ式墜阻止器具１１と、該リトラクタ式墜落阻止器具１１及び前記安全帯４を連結する延長ロープ１３とによって構成されている。【選択図】図１
2018061689.tif 000002
【特許請求の範囲】
【請求項１】
メインロープ及びライフラインと、
前記メインロープ及び前記ライフラインに取り付けられる安全帯とを具備したロープ高所作業用装置であって、
前記ライフラインは、リトラクタ式墜阻止器具と、該リトラクタ式墜落阻止器具及び前記安全帯を連結する延長ロープとによって構成されていることを特徴とするロープ高所作業用装置。
【請求項２】
前記延長ロープの両端にリング状部分を設けてある請求項１に記載のロープ高所作業用装置。
【請求項３】
前記延長ロープは樹脂被膜型アラミド繊維ロープである請求項１又は２に記載のロープ高所作業用装置。
【請求項４】
請求項１〜３の何れか一項に記載のロープ高所作業用装置を用いるロープ高所作業方法であって、
前記ライフラインを、前記メインロープが連結される支持物とは異なる支持物に直接又は間接的に連結するロープ高所作業方法。
【請求項５】
支持ロープの一端を前記メインロープが連結される支持物とは異なる支持物に連結すると共に、前記支持ロープの他端に設けられたリング状部分に前記ライフラインの一端を連結する請求項４に記載のロープ高所作業方法。
【請求項６】
法面の上方に位置する支持物に直接又は間接的に連結されている前記ライフラインを、前記法面の途中にある小段に設置された支持物に付け替える請求項４又は５に記載のロープ高所作業方法。
【請求項７】
前記リトラクタ式墜阻止器具と前記延長ロープとを連結する連結環、前記延長ロープと前記安全帯とを連結する連結環又は前記リトラクタ式墜落阻止器具のフックの少なくとも何れか一つに前記メインロープを通して該メインロープと前記ライフラインとを束ねる請求項４〜６の何れか一項に記載のロープ高所作業方法。
【発明の詳細な説明】
【技術分野】
【０００１】
本発明は、例えば、ロープで作業者の身体を保持して法面保護工事やビルの外装清掃などを行う、いわゆるロープ高所作業の際に用いて好適なロープ高所作業用装置及びこのロープ高所作業用装置を用いるロープ高所作業方法に関する。
【背景技術】
【０００２】
ロープで作業者の身体を保持し、法面保護工事やビルの外装清掃などを行う従来のロープ高所作業では、一本のメインロープのみに頼る墜落防止措置がとられることがあったため（例えば特許文献１参照）、メインロープが切れたり結び目がほどけたりすることによる死亡災害が発生している。さらに、法面保護工事ではロープと安全帯の接続を外したことによる墜落災害も報告されている。そこでメインロープとともにメインロープとは別のロープであるライフラインを用いる二重の安全対策が必要とされている。
【先行技術文献】
【特許文献】
【０００３】
【特許文献１】特許第５７４８５２９号公報
【発明の概要】
【発明が解決しようとする課題】
【０００４】
ところで、二重の安全対策としてライフラインを追加的に設置した場合、ロープが２本となり、昇降する際、作業者はそれぞれのロープに取り付けられたグリップなどの接続器具を個別に操作しなければならない。しかし、例えば法面におけるモルタル等の吹付け作業時には、吹付け作業に用いる吹付けノズルを保持するために少なくとも作業者の片手は常に塞がった状態となり、このような場合には二つの接続器具を空いているもう片方の手のみで操作する必要があるが、片手で二つの接続器具を操作するのは非常に困難である。
【０００５】
そこで、ライフラインとして、作業者の通常の動作を妨げない程度の張力を常にランヤードに与える自動緊張機構を有するリトラクタ式墜落阻止器具（安全ブロック）を用いることが考えられる。この場合、ライフライン側の接続機器操作は不要となり、接続機器の操作は従来通りメインロープ側のみで良い。
【０００６】
しかしながら、例えば法面におけるモルタル等の吹付け作業時に吹付けノズルから吹き出したモルタル等がリトラクタ式墜落阻止器具のランヤードに付着すると、自動緊張機構に不具合を来す恐れがあり、このことは、安全性の低下に繋がる。また、ランヤードにモルタル等が付着しないように吹付け作業を行おうとすると、それだけ作業性が低下することになる。
【０００７】
本発明は上述の事柄に留意してなされたもので、その目的は、ロープ高所作業の安全性及び作業性の向上に資するロープ高所作業用装置及びロープ高所作業方法を提供することにある。
【課題を解決するための手段】
【０００８】
上記目的を達成するために、本発明に係るロープ高所作業用装置は、メインロープ及びライフラインと、前記メインロープ及び前記ライフラインに取り付けられる安全帯とを具備したロープ高所作業用装置であって、前記ライフラインは、リトラクタ式墜阻止器具と、該リトラクタ式墜落阻止器具及び前記安全帯を連結する延長ロープとによって構成されている（請求項１）。
【０００９】
上記ロープ高所作業用装置において、前記延長ロープの両端にリング状部分を設けてあってもよい（請求項２）。
【００１０】
上記ロープ高所作業用装置において、前記延長ロープは樹脂被膜型アラミド繊維ロープであってもよい（請求項３）。
【００１１】
上記目的を達成するために、本発明に係るロープ高所作業方法は、請求項１〜３の何れか一項に記載のロープ高所作業用装置を用いるロープ高所作業方法であって、前記ライフラインを、前記メインロープが連結される支持物とは異なる支持物に直接又は間接的に連結する（請求項４）。
【００１２】
上記ロープ高所作業方法において、支持ロープの一端を前記メインロープが連結される支持物とは異なる支持物に連結すると共に、前記支持ロープの他端に設けられたリング状部分に前記ライフラインの一端を連結してもよい（請求項５）。
【００１３】
上記ロープ高所作業方法において、法面の上方に位置する支持物に直接又は間接的に連結されている前記ライフラインを、前記法面の途中にある小段に設置された支持物に付け替えるようにしてもよい（請求項６）。
【００１４】
上記ロープ高所作業方法において、前記リトラクタ式墜阻止器具と前記延長ロープとを連結する連結環、前記延長ロープと前記安全帯とを連結する連結環又は前記リトラクタ式墜落阻止器具のフックの少なくとも何れか一つに前記メインロープを通して該メインロープと前記ライフラインとを束ねるようにしてもよい（請求項７）。
【発明の効果】
【００１５】
本願発明では、ロープ高所作業の安全性及び作業性の向上に資するロープ高所作業用装置及びロープ高所作業方法が得られる。
【００１６】
すなわち、本願の各請求項に係る発明のロープ高所作業用装置及びロープ高所作業方法では、ライフラインにリトラクタ式墜落阻止器具を用いる。ここで、リトラクタ式墜落阻止器具を用いず、接続器具によって安全帯に取り付けられるメインロープと同様のロープによってライフラインを構成しても安全性を高めることはできるが、作業位置を変更する際に二つの接続器具を同時に操作する必要が生じる。しかし、例えば、吹付けノズルを保持しながら行う吹付作業時には少なくとも片手はふさがるのであり、このときに空いているもう片方の手のみで二つの接続器具を操作するのは至難であり、作業性が著しく低下する恐れがある。この点、本発明のロープ高所作業用装置及びロープ高所作業方法では、一つの接続器具のみを操作すればよく、安全性及び作業性の向上をともに図ることができる。
【００１７】
また、上記ロープ高所作業用装置では、リトラクタ式墜落阻止器具の末端に延長ロープを連結している。ここで、リトラクタ式墜落阻止器具のみを用いてライフラインを構成することもできるが、この場合、例えば法面におけるモルタル等の吹付け作業時に吹付けノズルから吹き出したモルタル等がリトラクタ式墜落阻止器具のランヤードに付着すると、リトラクタ式墜落阻止器具の自動緊張機構に不具合を来す恐れがあり、このことは、安全性の低下に繋がる。また、ランヤードにモルタル等が付着しないように吹付け作業を行おうとすると、それだけ作業性が低下することになる。その上、点検の際に異物が付着しているランヤードは交換対象となるため、使用する度にランヤードに付着した異物を取り除くメンテナンスが必要となるが、このメンテナンスに係る労力も増大する。
【００１８】
この点、本発明のライフラインでは、延長ロープを設けて安全帯を装着した作業者とリトラクタ式墜落阻止器具のランヤードとを離し、ランヤードがモルタル等の吹付け範囲内に入らないようにすることにより、延長ロープにモルタル等がかかることはあってもランヤードにかからないようにすることができ、上記各問題を解決することができる。なお、延長ロープはリトラクタ式墜落阻止器具に巻き取られるものではないため、モルタル等が付着してもリトラクタ式墜落阻止器具に不具合が生じることはない。また、請求項３に記載のように、延長ロープとして外面が樹脂で被膜されたものを用いることにより、モルタル等が繊維の奥まで入り込まず、その外面に付着したモルタル等を容易に拭き取ることができるので、メンテナンスが容易となり、延長ロープを長期間使用することも可能となる。
【００１９】
請求項２に係る発明のロープ高所作業用装置では、例えば連結環を用いることにより、延長ロープをリトラクタ式墜落阻止器具及び安全帯に容易に連結することができ、しかも、この場合には、結び目がほどけて墜落事故が生じるといった危険性もなく、安全である。
【００２０】
請求項６に係る発明のロープ高所作業方法では、より広範囲における作業が可能となる。
【００２１】
請求項７に係る発明のロープ高所作業方法では、メインロープ及び延長ロープを束ねることにより、作業範囲を広範に確保することが可能となる。
【図面の簡単な説明】
【００２２】
【図１】本発明の一実施の形態に係るロープ高所作業用装置及びロープ高所作業方法を概略的に示す説明図である。
【図２】前記ロープ高所作業用装置及びロープ高所作業方法の要部の構成を概略的に示す説明図である。
【図３】（Ａ）は上記ロープ高所作業用装置による作業範囲の限界を示す説明図、（Ｂ）及び（Ｃ）は、前記ロープ高所作業用方法の変形例を概略的に示す説明図である。
【発明を実施するための形態】
【００２３】
本発明の実施の形態について図面を参照しながら以下に説明する。
【００２４】
本実施の形態に係るロープ高所作業方法は、図１に示すように、法面Ｎにてロープ高所作業用装置１を用いて行うものである。そして、このロープ高所作業用装置１は、メインロープ２及びライフライン３と、メインロープ２及びライフライン３に取り付けられる安全帯４とを具備している。
【００２５】
メインロープ２は、例えば法面Ｎの法肩に存在する堅固な支持物（立木等の自然物、強度のあるアンカーバーや手すり等の人工物など）５に緊結され、法面Ｎの谷側に向かって垂らされる。図２に示すように、このメインロープ２には、グリップ（接続器具）６が接続され、このグリップ６には２本のランヤード７が接続される。そして、各ランヤード７の先端に設けられた係止部（本例ではフック）８が、作業者Ｗの身体に装着された安全帯４の身体保持器具（バックサイドベルト）９の左右２箇所に設けられた被係止部（本例ではＤ環）１０に係止することにより、作業者Ｗの転落防止と姿勢の安定とが図られる。また、作業者Ｗが法面Ｎ上を昇降する際は、グリップ６を操作することにより、メインロープ２におけるグリップ６の嵌合位置を調節すればよい。
【００２６】
ライフライン３は、図１に示すように、作業者Ｗの通常の動作を妨げない程度の張力を常にランヤード１１ａに与える自動緊張機構を有するリトラクタ式墜阻止器具（セーフティブロック）１１と、リトラクタ式墜落阻止器具１１及び安全帯４の胴ベルト１２を連結する延長ロープ１３とによって構成されている。
【００２７】
ここで、リトラクタ式墜落阻止器具１１は、ランヤード（ワイヤー）１１ａを低速での引き出し可能に且つ高速での引き出し不能に収容するケース１１ｂを備え、ランヤード１１ａの先端にはフック１１ｃ（図２参照）が設けられている。そして、ケース１１ｂは、連結環（カラビナ）Ｋにより、法面Ｎの法肩に存在する堅固な支持物５であって、メインロープ２が緊結されていない支持物５に連結されている。また、ケース１１ｂは、ランヤード１１ａが高速で引き出されようとしたときには図外の自動ロック装置によりロックがかかるように構成されているので、作業者Ｗが例えば足を滑らせた際にはこの自動ロック装置が働き、墜落が阻止される。
【００２８】
また、図２に示すように、延長ロープ１３は、両端にリング状部分１４を有し、一端（上端）は、連結環Ｋを介してリトラクタ式墜落阻止器具１１のフック１１ｃに連結され、他端（下端）は、連結環Ｋを介して安全帯４の胴ベルト１２に設けられた被連結部（本例ではＤ環）１５に連結される。なお、延長ロープ１３は、樹脂被覆型の高強度アラミドロープであり、アイ加工によって両端にリング状部分１４が形成されている。
【００２９】
安全帯４は、メインロープ２が取り付けられる身体保持器具９と、ライフライン３が取り付けられる胴ベルト１２と、身体保持器具９及び胴ベルト１２を連結する連結ベルト１６とによって構成された傾斜面用ハーネスである（図２参照）。身体保持器具９は、主として作業者Ｗの臀部を広範囲に覆って支持し、胴ベルト１２は作業者Ｗの胴回りに装着され、それぞれバックルにより作業者Ｗに固定される。
【００３０】
上記の構成からなるロープ高所作業用装置１を用いる本実施形態のロープ高所作業方法では、メインロープ２及びライフライン３を相互に異なる支持物５に連結しておく。そして、作業者Ｗは、昇降する際には、グリップ６を操作して、メインロープ２におけるグリップ６の接続位置を調節・変更すればよい。
【００３１】
一方、ライフライン３については、リトラクタ式墜落阻止器具１１によってランヤード１１ａの長さ及び張力が自動的に適度に保たれるため、操作は不要である。
【００３２】
本実施形態のロープ高所作業用装置１及びロープ高所作業方法では、ライフライン３にリトラクタ式墜落阻止器具１１を用いる。ここで、リトラクタ式墜落阻止器具１１を用いず、グリップ６によって安全帯４に取り付けられるメインロープ２と同様のロープによってライフライン３を構成しても安全性を高めることはできるが、作業位置を変更する際に二つのグリップ６を同時に操作する必要が生じる。しかし、例えば図１に示すように、吹付けノズル１７を保持しながら行う吹付作業時には少なくとも片手はふさがるのであり、このときに空いているもう片方の手のみで二つのグリップ６を操作するのは至難であり、作業性が著しく低下する恐れがある。この点、本実施形態のロープ高所作業用装置１及びロープ高所作業方法では、一つのグリップ６のみを操作すればよく、安全性及び作業性の向上をともに図ることができる。また、メインロープ２とライフライン３の外観を異ならせておくことにより、両者２，３を取り違えるミスを防止することもできる。
【００３３】
ここで、リトラクタ式墜落阻止器具１１のみを用いてライフライン３を構成することは可能であるが、この場合、例えば法面におけるモルタル等の吹付け作業時に吹付けノズル１７から吹き出したモルタル等がリトラクタ式墜落阻止器具１１のランヤード１１ａに付着すると、リトラクタ式墜落阻止器具１１の自動緊張機構に不具合を来す恐れがあり、このことは、安全性の低下に繋がる。また、ランヤード１１ａにモルタル等が付着しないように吹付け作業を行おうとすると、それだけ作業性が低下することになる。その上、点検の際に異物が付着しているランヤード１１ａは交換対象となるため、使用する度にランヤード１１ａに付着した異物を取り除くメンテナンスが必要となるが、このメンテナンスに係る労力も増大する。
【００３４】
しかし、本実施形態のライフライン３では、延長ロープ１３を設けて安全帯４を装着した作業者Ｗとランヤード１１ａとを離し、ランヤード１１ａがモルタル等の吹付け範囲内に入らないようにすることにより（図２参照）、延長ロープ１３にモルタル等がかかることはあってもランヤード１１ａにかからないようにすることができ、上記各問題を解決することができる。なお、延長ロープ１３はリトラクタ式墜落阻止器具１１に巻き取られるものではないため、モルタル等が付着してもリトラクタ式墜落阻止器具１１に不具合が生じることはない。また、延長ロープ１３として外面が樹脂で被膜されたものを用いることにより、モルタル等が繊維の奥まで入り込まず、その外面に付着したモルタル等を容易に拭き取ることができるので、メンテナンスが容易となり、延長ロープ１３を長期間使用することも可能となる。
【００３５】
延長ロープ１３の好ましい長さは、吹付作業時のモルタル等が吹付けノズル１７の先から飛散する範囲から考慮すると、１．０〜５．０ｍ程度、より好適には２．０〜３．０ｍ程度である。延長ロープ１３を上記範囲より短くすると、モルタル等がランヤード１１ａにかかる恐れがある。また、延長ロープ１３を上記範囲より長くすると、リトラクタ式墜落阻止器具１１の自動緊張機構の許容範囲を逸脱してライフライン３の全体に適度な張力が働かなくなって弛みが生じる恐れがあり、この弛みが大きくなるほど作業者Ｗの墜落し得る距離が伸びるため、安全性の低下に直結する。そして、この弛み防止の点から、延長ロープ１３は高強度であるだけでなく軽量であることも重要であり、例えば長さが３ｍで約５００ｇの重量しかない株式会社テザック製の軽量な樹脂被膜型の高強度アラミド繊維ロープ等を延長ロープ１３として使用することが好ましい。
【００３６】
なお、本発明は、上記の実施の形態に何ら限定されず、本発明の要旨を逸脱しない範囲において種々に変形して実施し得ることは勿論である。例えば、以下のような変形例を挙げることができる。
【００３７】
上記実施形態には、開閉可能なゲートが設けられたリング状の器具である連結環（カラビナ）Ｋを用いる連結方法を示しているが、この連結環Ｋを用いる連結箇所において、他の連結具を用いたり、連結環Ｋの連結対象どうしを直接連結可能に構成したりしてもよい。例えば、上記実施形態では、連結環Ｋを介してリトラクタ式墜落阻止器具１１のフック１１ｃと延長ロープ１３の一端（リング状部分１４）を連結しているが、連結環Ｋを介さずに両者１１ｃ、１４を直接連結するようにしてもよい。
【００３８】
図１には、リトラクタ式墜落阻止器具１１のケース１１ｂを支持物５としての手すりに連結環Ｋを介して連結する例を示しているが、これに限らず、例えば、立木やアンカーバー等の支持物５に一端を連結（緊結）する支持ロープ（図示していない）の他端（下端）に例えばアイ加工によってリング状部分を設けておき、このリング状部分に連結環Ｋを介してリトラクタ式墜落阻止器具１１のケース１１ｂを連結するようにしてもよい。
【００３９】
上記実施形態では、安全帯４として、図２に示す傾斜面用ハーネスを用いているが、これに限らず、作業内容等に応じて垂直面用ハーネス等、種々の構成のものを用いるようにしてもよい。
【００４０】
上記実施形態のロープ高所作業用装置１では、図３（Ａ）に示すように、作業者Ｗは、ランヤード１１ａの長さ（例えば２０ｍ）と延長ロープ１３の長さ（例えば３ｍ）とを足した長さ（例えば２３ｍ）にほぼ相当する距離分のみ支持物５から下方に移動することができるが、それ以上の下降はこのままでは不可能である。そこで、更なる下降が必要な場合には、例えば図３（Ｂ）に示すように、支持物５とリトラクタ式墜落阻止器具１１とを、継ぎ足し用ロープ１８によって連結するようにすればよい。この継ぎ足し用ロープ１８としては、両端に例えばアイ加工によってリング状部分が形成されたロープを用い、それぞれ連結環Ｋを介して継ぎ足し用ロープ１８の一端を支持物５に連結し、他端をリトラクタ式墜落阻止器具１１に連結することが考えられる。この場合、連結環Ｋを介して複数の継ぎ足し用ロープ１８を直列に連結するようにしてもよい。なお、図３（Ａ）〜（Ｃ）では、メインロープ２等の記載は省略している。
【００４１】
また、図３（Ｃ）に示すように、法面Ｎの途中に小段１９がある場合には、この小段１９に手摺やアンカーバー等の支持物５を設置すれば、法面Ｎの上方に位置する支持物５に直接又は間接的に連結されているライフライン３を、法面Ｎの途中に設けられた小段１９に設置された支持物５に付け替えることにより、より広範囲における作業が可能となる。
【００４２】
図２に示すように、作業者Ｗの作業範囲内には、メインロープ２と、ライフライン３の延長ロープ１３とが存在し得るのであり、図２に示す例では、これらのロープを束ねるといったことはしていないので、作業時に邪魔になり易い。
【００４３】
そこで、リトラクタ式墜阻止器具１１と延長ロープ１３とを連結する連結環Ｋ、延長ロープ１３と安全帯４とを連結する連結環Ｋ又はリトラクタ式墜落阻止器具１１のフック１１ｃの少なくとも何れか一つにメインロープを通してメインロープ２とライフライン３とを束ね、作業範囲をより広範に確保するようにしてもよい。特に、リトラクタ式墜阻止器具１１と延長ロープ１３とを連結する連結環Ｋ又はフック１１ｃの何れか一方と、延長ロープ１３と安全帯４とを連結する連結環Ｋとにメインロープ２を通し、メインロープ２とライフライン３の延長ロープ１３とを略平行状態にすれば、作業範囲を非常に広範囲に確保することができるので好ましい。
【００４４】
また、このようにメインロープ２とライフライン３とを束ねる構成に代えて、あるいはこの構成に加えて、メインロープ２におけるグリップ６よりも山側部分又は谷側部分の何れか一方又は両方と、延長ロープ１３とを束ねる筒状カバー（図示していない）を設けるという構成を採用すれば、メインロープ２において筒状カバーで覆われた部分に対するモルタル等の付着を防止することもできる。ここで、筒状カバーは、例えば合成樹脂等で筒状に成形されたものでもよいし、一枚のシート状に成形され、表面の一端と裏面の他端とに設けられ相互に係合する係合部（例えば面ファスナーやボタン等）どうしを係合させることで筒状になるように構成されたものであってもよい。
【００４５】
また、筒状カバーは作業者Ｗの作業範囲内に配置してあることが好ましく、メインロープ２及び延長ロープ１３に沿って移動可能であっても、グリップ６や連結環Ｋを乗り越えて移動しないように構成してあれば、筒状カバーを作業範囲内に位置させておくことができる。但し、これに限らず、例えば適宜の連結手段により筒状カバーを安全帯４、グリップ６、連結環Ｋの何れかに連結し、筒状カバーの移動範囲を制限するようにしてもよい。
【００４６】
上記実施形態では、延長ロープ１３の下端側のリング状部分１４と安全帯４の胴ベルト１２の被連結部１５とを連結環Ｋを介して連結しているが、これに限らず、例えば、延長ロープ１３の下端側のリング状部分１４に、リング状部分１４の形成時（アイ加工時）に一体化するといった手段により二重外れ止め装置付き安全帯用フック（図示していない）を取り付け、このフックを被連結部１５に係脱するようにすれば、延長ロープ１３の着脱が容易となるとともに安全性が向上する。なお、二重外れ止め装置付き安全帯用フックは、外れ止め装置を操作しなければフックが開口しないように構成されているものである。
【００４７】
なお、本明細書で挙げた変形例どうしを適宜組み合わせてもよいことはいうまでもない。
【符号の説明】
【００４８】
１    ロープ高所作業用装置
２    メインロープ
３    ライフライン
４    安全帯
５    支持物
６    グリップ
７    ランヤード
８    係止部
９    身体保持器具
１０    被係止部
１１    リトラクタ式墜落阻止器具
１１ａ  ランヤード
１１ｂ  ケース
１１ｃ  フック
１２    胴ベルト
１３    延長ロープ
１４    リング状部分
１５    被連結部
１６    連結ベルト
１７    吹付けノズル
１８    継ぎ足し用ロープ
１９    小段
Ｋ    連結環
Ｎ    法面
Ｗ    作業者
【図１】
2018061689.tif 000003
【図２】
2018061689.tif 000004
【図３】
2018061689.tif 000005